(57)【特許請求の範囲】
【請求項１】
矩形状の枠体と前記枠体の内側に前記枠体と一体に成形されて人間の指の進入を阻止する通気性を備えたガード部とを有し、送風機の吸い込み口側に配置されて前記吸い込み口を覆う合成樹脂製の送風機用フィンガーガードであって、
前記矩形状の枠体の４つの辺を構成する４つの枠骨部には、前記枠体によって囲まれる内側空間に前記枠体の外側から空気を吸い込むための１つの連通孔が、それぞれ形成されており、
前記連通孔は、前記内側空間に向かう方向及び前記内側空間から離れる方向の両方向と前記吸い込み口側に向かう方向とに開口する細長い孔である記載の送風機用フィンガーガード。
【請求項２】
前記ガード部は、前記４つの枠骨部にそれぞれ連結された最大環状内骨部と，前記最大環状内骨部の内側に同心的に配置された複数の環状内骨部と、前記複数の環状内骨部の中心に位置する中心部から外側に放射状に延びて
前記枠体と前記最大環状内骨部と前記複数の環状内骨部とを連結する複数の直線状内骨部とから構成され、
前記最大環状内側骨部と前記枠骨部との連結部は、前記枠骨部の長手方向の中央部に位置しており、
前記細長い孔は前記連結部を中心にして対称な形状を有している請求項２に記載の送風機用フィンガーガード。
【請求項３】
前記矩形状の枠体の４つの角部には取付用通孔がそれぞれ形成されており、前記連通孔は前記貫通孔が形成された部分の機械的強度を低下させない大きさに形成されている請求項２に記載の送風機用フィンガーガード。
【発明の詳細な説明】
【０００１】
【発明の属する技術分野】
本発明は、送風機用フィンガーガードに関するものである。
【０００２】
【従来の技術】
モータを駆動源として回転するインペラを有する送風機では、インペラに備えられたブレードに指が触れて発生する怪我を防ぐために、送風機の吸い込む口にフィンガーガードを備えているものがある。一般にフィンガーガードは、鋼線板または合成樹脂により形成されており、送風機の吸い込み口を覆うように、送風機に直接取り付けられたり、送風機が配置される電子機器等の筐体の壁部に対して送風機の吸い込む口を覆うように取り付けられている。このようなフィンガーガードは、枠体と枠体の内側に配置されたガード部とを有している。ガード部は、人間の指の進入を阻止して、しかも通気性を備えている。
【０００３】
【発明が解決しようとする課題】
送風機のインペラが回転して、フィンガーガードのガード部の通気通路を通して空気が吸い込まれると、複数のブレード間を空気が通過して騒音が発生する。しかし、従来のフィンガーガードを備えた送風機では、フィンガーガードを通過した空気が乱流を起こし、ブレード間の騒音を増加させるという問題があった。
【０００４】
本発明の目的は、騒音が大きくなるのを抑制できる送風機用フィンガーガードを提供することにある。
【０００５】
【課題を解決するための手段】
本発明が改良の対象とする送風機用フィンガーガードは、合成樹脂により形成された枠体と枠体の内側に配置されて人間の指の進入を阻止する通気性を備えたガード部とを有し、送風機の吸い込み口側に配置されて吸い込み口を覆うように用いられている。本発明では、枠体に、枠体によって囲まれる内側空間に枠体の外側から空気を吸い込むための複数の連通孔を内側空間を囲むように形成する。本発明のように枠体に複数の連通孔を形成すると、送風機のインペラが回転する際に枠体に設けた複数の連通孔からも送風機側に向って空気が吸い込まれる。従来のフィンガーガードでは、ガード部を通過した空気が枠体で囲まれた空間で乱流を起こし、これがブレード間の騒音を増加させていることを発明者は発見した。そこで、本発明では枠体に複数の連通孔を形成して、これらの連通孔からも空気を吸い込むことにより、乱流が生じるのを抑制する。そのため、本発明によれば、騒音を従来よりも低減できる。
【０００６】
枠体に形成する複数の連通孔は、枠体の近傍で発生する空気が乱流になるのを抑制できる構造であればよく、種々の形状に形成できる。例えば、枠体の内部の内側空間に向かう方向及び内側空間から離れる方向の両方向と送風機の吸い込み口に向かう方向とに開口する細長い孔により各連通孔を形成すれば、開口部の面積の大きい連通孔を簡単に形成できる。
【０００７】
本発明の送風機用フィンガーガードにおいて、矩形状の枠体を用いる場合には、矩形状の枠体の４つの辺を構成する４つの枠骨部に、枠体によって囲まれる内側空間に枠体の外側から空気を吸い込むための１以上の連通孔を、それぞれ形成する。この場合、４つの枠骨部にはそれぞれ１つの連通孔を形成し、この連通孔を内側空間に向かう方向及び内側空間から離れる方向の両方向と吸い込み口に向かう方向とに開口する細長い孔とするのが好ましい。
【０００８】
また、ガード部は、４つの枠骨部にそれぞれ連結された最大環状内骨部と，最大環状内骨部の内側に同心的に配置された複数の環状内骨部と、複数の環状内骨部の中心に位置する中心部から外側に放射状に延びて、枠体と最大環状内骨部と複数の環状内骨部とを連結する複数の直線状内骨部とから構成することができる。この場合、最大環状内側骨部と枠骨部との連結部を、枠骨部の長手方向の中央部に位置させ、連通孔を形成する細長い孔は、この連結部を中心にして対称な形状に形成するのが好ましい。このようにガード部を構成すれば、ガード部の機械的強度を維持した状態で、部分的に偏りのない高い通気性を得ることができる。
【０００９】
また矩形状の枠体の４つの角部には送風機または電子機器等の筐体にフィンガーガードを取り付ける取付用の貫通孔をそれぞれ形成することができる。この場合、枠体に形成する連通孔は貫通孔が形成された部分の機械的強度を低下させない大きさに形成するのが好ましい。
【００１０】
【発明の実施の形態】
以下、図面を参照して本発明の実施の形態の一例を詳細に説明する。図１は、本発明の実施の形態のフィンガーガードを送風機に取り付けた態様を示す一部破断断面図であり、図２は図１のII−II線断面図である。両図に示すように軸流送風機１には、電子機器の筐体３の壁部を介してフィンガーガード５が取り付けられている。送風機１は、ケース本体７内にインペラ９が配置された構造を有している。インペラ９は、カップ部材１１の外側に複数のブレード１３…が取り付けられた構造を有しており、カップ部材１１の内部にはモータが配置されている。本例の送風機１は、カップ部材１１内のモータの駆動によりインペラ９を回転させて図面に向かって右側から左側に空気の流れを作り冷却用の風を電子機器内に送り込むものである。ケース本体７は、輪郭形状が角形をなしており、吸い込み口７ａと吐き出し口７ｂとを両開口端部に有している。図２に示すように、送風機１は、吸い込み口７ａが筐体３に形成された開口部３ａと向い合って連通するように配置されている。
【００１１】
フィンガーガード５は、合成樹脂により一体に形成されており、図３〜図５に示すように枠体１５と、枠体１５の内側の一方の開口部側に配置されたウエブ状のガード部１７とを有している。なお、図３〜図５は、フィンガーガード５の平面図、側面図及び裏面図である。枠体１５は、輪郭がほぼ正方形の矩形状を呈しており、４つの辺を構成する４つの枠骨部１９…を有している。４つの枠骨部１９…は、それぞれ板状をなしており、４つの枠骨部１９…の長手方向中央には、図２に示す枠体１５によって囲まれる内側空間２１に枠体１５の外側から空気を吸い込むための連通孔２３…がそれぞれ形成されている。これらの連通孔２３…は、内側空間２１に向かう方向及び内側空間２１から離れる方向の両方向と、ガード部１７が形成されていない枠体１５の他方の開口部側（送風機１の吸い込み口７ａに向かう方向）とに開口する細長い孔により形成されている。また、枠体１５の４つの角部にはネジ２５を挿入するための取付用の貫通孔１５ａ…がそれぞれ形成されている。各連通孔２３は貫通孔１５ａが形成された部分の機械的強度を低下させない大きさ（この例では枠骨部１９の長さのほぼ１／２の長さ寸法を有する大きさ）に形成されている。図２に示すように、フィンガーガード５は、ガード部１７が形成されていない枠体１５の開口部が筐体３の開口部３ａと向い合って連通するように配置されている。前述したように、送風機１の吸い込み口７ａは、筐体３の開口部３ａと向い合っているので、フィンガーガード５は、吸い込み口７ａを覆うように配置されることになる。このように配置された状態で、フィンガーガード５は、貫通孔１５ａ…並びに貫通孔１５ａ…に整合して筐体３及び送風機１に形成された貫通孔を通る４つのネジ２５…により筐体３の壁部を介して送風機１に取り付けられている。
【００１２】
ガード部１７は、枠体１５と一体に成形されており、人間の指の進入を阻止する通気性を備えた構造を有している。具体的には、ガード部１７は、４つの枠骨部１９…にそれぞれ連結された最大環状内骨部１７ａと、最大環状内骨部１７ａの内側に同心的に配置された３つの環状内骨部１７ｂ…と、複数の環状内骨部１７ｂ…の中心に位置する円板部１７ｃと、円板部１７ｃから外側に放射状に延びて枠体１５と最大環状内骨部１７ａと複数の環状内骨部１７ｂ…とを連結する８本の直線状内骨部１７ｄとから構成されている。最大環状内骨部１７ａは、枠骨部１９との連結部が枠骨部１９の長手方向の中央部に位置するように形成されている。これにより、連通孔２３は連結部を中心にして対称な形状を有することになる。
【００１３】
図２に示すように、本例のフィンガーガード５を用いると、送風機１のインペラ９が回転する際に枠体１５に形成した４つの連通孔２３…からも内側空間２１に向って空気が吸い込まれる（矢印Ａ）。従来のフィンガーガードでは、矢印Ｂに示すガード部からの空気だけが内側空間２１に入り込み、内側空間２１内で乱流を起こす。これに対して、本例のフィンガーガード５を用いれば、複数の連通孔２３…からも空気が入り込むことにより、乱流が生じるのを抑制することができる。そのため、ブレード１３…間で生じる騒音を低減できる。
【００１４】
【発明の効果】
本発明によれば、枠体に形成した連通孔からも空気が吸い込まれるため、空気に乱流を生じるのを抑制することができ、騒音を低減できる。
【図面の簡単な説明】
【図１】  本発明の実施の形態のフィンガーガードを送風機に取り付けた態様を示す一部破断断面図である。
【図２】  図１のII−II線断面図である。
【図３】  本発明の実施の形態のフィンガーガードの平面図である。
【図４】  本発明の実施の形態のフィンガーガードの側面図である。
【図５】  本発明の実施の形態のフィンガーガードの裏面図である。
【符号の説明】
１  送風機
３  筐体
５  フィンガーガード
７ａ  吸い込み口
１５  枠体
１７  ガード部
１７ａ  最大環状内骨部
１７ｂ  環状内骨部
１７ｄ  直線状内骨部
１９  枠骨部
２１  内側空間
２３  連通孔
【図１】
0003730475.tif 000002
【図２】
0003730475.tif 000003
【図３】
0003730475.tif 000004
【図４】
0003730475.tif 000005
【図５】
0003730475.tif 000006